(57)【特許請求の範囲】
【請求項１】
NFC（Near Field Communication）機能とブラウザとを搭載した端末と、
URL、及びユーザを識別するユーザIDとパスワードとを含むログイン情報が書き込まれたNFCタグと、を使用し、
前記NFC機能とブラウザを搭載した端末に、前記URLが書き込まれたNFCタグをかざしたとき、
前記NFC機能とブラウザを搭載した端末のブラウザ上に、
定期的に更新される占い画面をインターネットを通じて表示させる占いシステムであって、
複数のNFCタグをグループとして管理する機能と
前記複数のNFCタグをそれぞれユーザ認証によって識別する機能と、
前記複数のNFCタグそれぞれ毎に占いを表示する機能と、
前記ユーザ認証を利用し前記複数のNFCタグそれぞれ毎の、占い画面閲覧履歴を記憶しておく機能と、を備え、
前記グループとして管理する複数のNFCタグのうちいずれかを、
NFC機能とブラウザとを搭載した端末にかざしたとき、
前記ユーザ認証により前記NFCタグを特定し、
前記ブラウザ上に、
前記特定したNFCタグに対応する占い画面を表示し、
前記占い画面に、
前記複数のNFCタグそれぞれ毎の、占い結果と、占い画面閲覧履歴とを、表示することを特徴とする、占いシステム。
【請求項２】
請求項１に記載の占いシステムであって、
さらに、
前記グループとして管理する複数のNFCタグのうち、前記占い画面閲覧履歴のないNFCタグの情報を、前記グループとして管理する複数のNFCタグを利用するユーザに、定期的にメール配信することを特徴とする、占いシステム。
【請求項３】
請求項１に記載の占いシステムであって、
さらに、
前記占い画面に、
前記グループとして管理する複数のNFCタグそれぞれ毎の占い結果を、占い結果順に並べて表示することを特徴とする、占いシステム。
【発明の詳細な説明】
【技術分野】
【０００１】
本発明は、NFC（Near Field Communication）技術とインターネットとを利用した占い提供システムに関する。
【背景技術】
【０００２】
NFCは、13.56MHzの搬送周波数を利用する近距離無線通信技術であり、国際規格のISO14443 TypeA、TypeBを含む形で、NFC-Type1、NFC-Type2がNFCフォーラムで通信仕様を定めている。
【０００３】
NFCフォーラムで定められているNDEF形式のデータフォーマットとP2P、リーダ／ライタ、カードエミュレーションモード及び、Type1〜Type4のタグ仕様に対応することで、NFCプロトコルに基づいたデータ通信が可能となる。
【先行技術文献】
【非特許文献】
【０００４】
【非特許文献１】NFC Forum Type 1 Tag Operation Specification
【非特許文献２】NFC Forum Type 2 Tag Operation Specification
【非特許文献３】NFC Data Exchange Format (NDEF) Technical Specification
【非特許文献４】NFC URI Record Type Definition Technical Specification
【発明の概要】
【発明が解決しようとする課題】
【０００５】
インターネット接続機能を有する携帯端末（スマートフォン、タブレット）の急速な普及に伴い、コミュニケーションにおける携帯端末の重要性が高まっているが、画面操作と設定の複雑さから、身体障がい者の方やお年寄りには使いこなすことが難しい。
【０００６】
インターネットを利用したコミュニケーションツールとしてSNS（ソーシャル・ネットワーキング・サービス）があるが、これらのサービスの利用においては、積極的に書き込まない限り、単なる傍観者としての利用にとどまってしまう。また、災害時等非常時においては複雑な操作を行うことができない状況に陥ることも考えられる。
【０００７】
一方、スマートフォンやタブレットに採用されているAndroid（OS）端末にはNFC（Near Field Communication）機能の標準搭載が進んでおり、端末にNFCタグをかざすだけでインターネットを利用したコミュニケーションの場への参加を可能とする、技術的条件が整ってきた。
【０００８】
本発明はこのような技術的条件の変化を鑑みてなされたものであり、家族や友人同士等、グループで本発明を利用するユーザが、占い結果を見るためにNFCタグが封入されたお守りをインターネット端末にかざす、という簡単な動作を行うだけで、自身の占い結果とともに、同一グループに属する他のユーザ毎の占い結果及び閲覧状況を知ることができる、占いシステムを提供する。
【課題を解決するための手段】
【０００９】
ユーザが、NFCタグの封入されたお守りをインターネット端末にかざすと、本占いシステムは、前記インターネット端末のブラウザ上に、占い画像と占い文とからなる占い結果を表示させる。
【００１０】
家族や友人同士等、グループで本占いシステムを利用するユーザが、NFCタグの封入されたお守りをインターネット端末にかざすと、本占いシステムは、前記インターネット端末のブラウザ上に、ユーザ本人の分に加え、同一グループに属する他のユーザの分の占い結果を表示させる。
【００１１】
本占いシステムは、同一グループに属するユーザ全員分の占い結果を表示する際、占いの結果順に表示する。
【００１２】
このとき、併せて、各ユーザによって書き込まれたメッセージをも表示する。
【００１３】
さらに、併せて、同一グループに属する他のユーザの閲覧状況についても表示する。
【００１４】
本占いシステムは、ユーザに繰り返し利用してもらうため、提供する占いを定期的に更新する。
【発明の効果】
【００１５】
本占いシステムを家族や友人同士等グループで利用する場合、ユーザが、自身の占い結果を見るためにNFCタグの封入されたお守りをインターネット端末にかざす、という簡単な動作を行うことで、同一グループに属する他のユーザの閲覧状況についても併せて知ることができる。
【００１６】
NFCタグ入りのお守りを独居老人世帯へ配布するといった形で本占いシステムを活用すれば、地域の見守り活動や、孤独死の防止にも役立つ。
【００１７】
さらに、災害時等非常時においては、お守りを端末にかざすというごく簡単な操作のみによって動作する安否確認手段ともなる。
【００１８】
グループによる本占いシステムの利用においては、同一グループに属するユーザの占い結果が占い結果順に表示されるため、ユーザの、他のユーザに対する関心を高める効果が期待できる。
【００１９】
グループによる本占いシステムの利用においては、ユーザがNFCタグの封入されたお守りをインターネット端末にかざす、という行為を繰り返すことにより、ユーザのグループに対する帰属意識を強める効果が期待できる。
【００２０】
また、自身の占い画面に設置された入力フォームからメッセージを書き込んでおき、同一グループに属する他のユーザに閲覧してもらうこともできる。他のユーザは、自身の占い結果を知ろうをとするとき、併せて他のユーザのメッセージを読むことになり、あえてメッセージを読もうとする必要がない。
【図面の簡単な説明】
【００２１】
【図１】本発明に関わる占いシステムの実施形態例を示す概略的な全体構成図である。
【図２】占いシステムの構成を示すブロック図である。
【図３】占いシステムが提供する占い画面の一例である。
【図４】占い画面の更新と閲覧チェック、メール配信に関するシーケンス図である。
【発明を実施するための形態】
【００２２】
以下、本発明の実施形態について添付の図面を参照して具体的に説明する。
【実施例】
【００２３】
図１は、本占いシステムの概略図である。ユーザが、URLの書き込まれたNFCタグ（０１−０３）入りのお守りをインターネット端末（０４−０６）にかざすと、インターネットを通じてURLを開き、端末のブラウザ上に本占いシステム（１００）が提供する占い画面を表示する。
【００２４】
図２は、本占いシステムの構成を示すブロック図である。本占いシステム（１００）は、占い画面作成機能（１１）と、メール配信機能（１２）と、占いの定期更新機能（１３）と、メッセージの表示、書き込み機能（１４）と、閲覧履歴チェック機能（１５）と、占いデータやユーザデータを管理するデータベース（１６）と、からなる。
【００２５】
図３は、グループで本占いシステムを利用する場合に、ユーザの端末に表示される占い画面（２０）の一例である。画面には、ユーザ自身を含むグループ内ユーザそれぞれに対応したユーザフォーム（２１−２３）と、ユーザ自身のための入力フォーム（２４）と、が設置される。
【００２６】
図３において、本占いシステムは占い画面（２０）に設置された、グループ内の各ユーザ毎の占い結果やメッセージ等を表示するためのユーザフォーム（２１−２３）に、前記ユーザ毎の、占い結果とユーザが書き込んだメッセージと閲覧履歴情報と、を表示する。
【００２７】
このとき本占いシステムは、ユーザフォームを、NFCタグに関する情報やユーザに関する情報ではなく、占いの順位順に並べて表示する。これによりユーザは、自身の占い結果を、グループ内での順位とともに知ることができる（２５）。
【００２８】
図３において、各ユーザフォームには、対応するユーザが自身の占い画面を閲覧した後、次の占い定期更新までの間、閲覧済（２６）と表示する。定期更新からユーザが自身の占い画面を閲覧するまでの間は表示しない（２７）。
【００２９】
図３において、グループ内ユーザが占い画面（２０）の入力フォーム（２４）からメッセージを入力すると、本占いシステムは前記メッセージを、対応するユーザのユーザフォームに反映させ、前記ユーザを含むグループ内ユーザすべての占い画面を更新する。
【００３０】
図４は、本占いシステムの機能を示すシーケンス図である。本システムは、管理するNFCタグすべてにつき、対応する占い画面を定期的に更新する（３１）。
【００３１】
図４において、本システムがグループとして管理するNFCタグ（０３）を保持するユーザが占い画面を閲覧（３２）したとき、本占いシステム（１００）は、NFCタグ（０３）の閲覧履歴を保持し、前記NFCタグ（０３）を含むグループとして管理するNFCタグすべて（０１−０３）につき、対応する占い画面を、閲覧履歴を反映させた状態に更新する（３３）。
【００３２】
その後、本システムがグループとして管理するNFCタグ（０２）を保持するユーザがURLを開くと、NFCタグ（０３）の閲覧履歴が更新された状態の占い画面が表示される（３４）。
【００３３】
図４において、本システムがグループとして管理するNFCタグ（０２）を保持するユーザが占い画面に設置された入力フォームからメッセージを入力（３５）したとき、本占いシステム（１００）は、前記NFCタグ（０２）を含むグループとして管理するNFCタグすべてにつき、対応する占い画面を、前記メッセージが表示された状態に更新する（３６）。
【００３４】
その後、本システムがグループとして管理するNFCタグ（０３）を保持するユーザがURLを開くと、NFCタグ（０２）のメッセージが対応するユーザフォームに表示された状態の占い画面が、表示される（３７）。
【００３５】
図４において、本占いシステム（１００）は、グループとして管理するNFCタグ（０１−０３）と対応する占い画面を定期的に更新する（３１）が、このとき、閲覧履歴をチェックし、閲覧済となっていないNFCタグがあれば、前記閲覧済となっていないのNFCタグ情報をメール配信する（３８）。また前記グループの閲覧履歴をクリアする（３９）。
【産業上の利用可能性】
【００３６】
携帯端末へのNFC機能搭載が進むと見込まれること、NFCタグの低価格化が進むことから、NFCタグをお守りやキーホルダー、ぬいぐるみ等、様々なものとの組み合わせることで、多様な趣味嗜好に対応し、広く普及させることが可能である。
【要約】
【課題】占い結果を見るためにNFC（Near Field Communication）タグが封入されたお守りをNFC機能を搭載したインターネット端末にかざず、という簡単な行為が、併せて簡便なコミュニケーション手段ともなる、占いシステムを提供する。
【解決手段】家族や友人同士等、グループで本占いシステムを利用するユーザが、NFC（Near Field Communication）タグが封入されたお守りをNFC機能を搭載したインターネット端末にかざずと、自身の占い結果とともに、同一グループに属する他のユーザ毎の、占い結果及び閲覧状況を知ることができる。これらの機能は、平時には簡便なコミュニケーション手段となり、災害時等非常時においては利用が容易な安否確認手段ともなる。
【選択図】図３【図１】
0005618438.tif 000002
【図２】
0005618438.tif 000003
【図３】
0005618438.tif 000004
【図４】
0005618438.tif 000005